(57)【特許請求の範囲】
【請求項１】
低駆動負荷時に回転出力を出力部に伝達するとともに駆動負荷の増大時に間欠の回転打撃出力を出力部に加えるインパクト動作に切り替わるインパクト式の手持ち式電動工具であって、電池セルを内蔵するコードレス型電源部と、交流電源からの電流を直流に変換する手段を備えたコード付き電源部との２種の電源部が選択的に取付自在となっているとともに、駆動モータは２種の電源部の出力電圧に応じた２種の巻線及び整流部を備えた多重巻線タイプであり、駆動モータの２種の巻線のうちのコード付き電源部に対応する巻線側の回路に、駆動モータの停動電流付近で溶断するヒューズが直列に接続されていることを特徴とする手持ち式電動工具。
【請求項２】
モータ冷却用ファンを備えるとともに、ヒューズは工具本体のハウジング内の上記ファンによる冷却風流路中に配されていることを特徴とする請求項１記載の手持ち式電動工具。
【請求項３】
ヒューズは工具本体のハウジングに設けられた冷却風吸い込み口近傍に配されていることを特徴とする請求項２記載の手持ち式電動工具。
【請求項４】
ヒューズは工具本体内に設けられた発熱性部材の放熱のための放熱部材に取り付けられていることを特徴とする請求項１〜３のいずれか１項に記載の手持ち式電動工具。
【請求項５】
ヒューズは導出されているリード線が屈曲された状態で配設されていることを特徴とする請求項１〜４のいずれか１項に記載の手持ち式電動工具。
【発明の詳細な説明】
【０００１】
【発明の属する技術分野】
本発明は低駆動負荷時に回転出力を出力部に伝達するとともに駆動負荷の増大時に間欠の回転打撃出力を出力部に加えるインパクト動作に切り替わるインパクト式の手持ち式電動工具に関するものである。
【０００２】
【従来の技術】
低駆動負荷時には回転出力をそのまま出力部に伝達しているが、駆動負荷が増大すれば、ハンマーの回転慣性で出力部であるアンビルに回転打撃を与えるインパクト動作に切り替わる手持ち式電動工具がある。特開昭５９−８８２６４号公報などに示されたこの種のインパクト式の手持ち式電動工具では、駆動負荷がきわめて大きくなった時にも、ハンマーがばねに抗して後退しつつ回転することから、駆動モータがロックしてしまうことがないという特質を有している。
【０００３】
【発明が解決しようとする課題】
しかし、上記動作が保証されるのは、駆動系が本来の動きをしている時であり、たとえば異物が混入するなどして駆動系の動きが損なわれた場合には、駆動モータがロックしてしまうことがある上に、この時には過電流が流れて発煙発火に至るおそれがある。
【０００４】
また出願人は、電池セルを内蔵するコードレス型電源部と、交流電源からの電流を直流に変換する手段を備えたコード付き電源部との２種の電源部を選択的に使用することができるものとして、特願平１１−３６５５７０号において、駆動モータを２種の電源部の出力電圧に応じた２種の巻線及び整流部を備えた多重巻線タイプとすることで、コード付き電源部の小型化を図りつつ、低電圧大出力電流のコードレス型電源部での駆動時と、コード付き電源部での駆動時とにおいてほぼ同一出力を得ることができるようにした手持ち式電動工具を提案しているが、この場合、コード付き電源部に対応する高電圧用巻線は、コードレス電源部に対応する低電圧用巻線よりも線径が細くて断線しやすいものとなる。また、コード付き電源部に対応する高電圧用巻線には高電圧が商用電源から常時供給されることから、異物混入等でモータロックが生じた時に発煙発火に至るおそれがさらに高くなり、使用者に危害を与えてしまうおそれがある。
【０００５】
本発明はこのような点に鑑みなされたものであって、その目的とするところは異物混入等によるモータロック時の安全性を高めた手持ち式電動工具を提供するにある。
【０００６】
【課題を解決するための手段】
しかして本発明は、低駆動負荷時に回転出力を出力部に伝達するとともに駆動負荷の増大時に間欠の回転打撃出力を出力部に加えるインパクト動作に切り替わるインパクト式の手持ち式電動工具において、電池セルを内蔵するコードレス型電源部と、交流電源からの電流を直流に変換する手段を備えたコード付き電源部との２種の電源部が選択的に取付自在となっているとともに、駆動モータは２種の電源部の出力電圧に応じた２種の巻線及び整流部を備えた多重巻線タイプであり、駆動モータの２種の巻線のうちのコード付き電源部に対応する巻線側の回路に、駆動モータの停動電流付近で溶断するヒューズが直列に接続されていることに特徴を有している。駆動モータのロック時にはヒューズが溶断して駆動モータへの電流供給を遮断してしまうようにしたものであり、殊に２種の電源部の出力電圧に応じた２種の巻線及び整流部を備えた多重巻線タイプである駆動モータにおけるモータロック時の影響が出やすい商用電源利用時に対応させたものである。
【０００８】
また、モータ冷却用ファンを備えるものでは、ヒューズは工具本体のハウジング内の上記ファンによる冷却風流路中に配しておくのが好ましく、この場合、工具本体のハウジングに設けられた冷却風吸い込み口近傍に配しておくのが最も好ましい。
【０００９】
ヒューズは工具本体内に設けられた発熱性部材の放熱のための放熱部材に取り付けておくのも好ましく、さらには導出されているリード線を屈曲させた状態でヒューズを配設しておくとよい。ヒューズの溶断時のヒューズ交換の便が良くなる。
【００１０】
【発明の実施の形態】
以下本発明を実施の形態の一例に基づいて詳述すると、図１に示す手持ち式電動工具は、円筒状の本体ハウジング１内に駆動モータ５と減速機５５、減速機５５の出力軸に軸方向スライド自在に取り付けたハンマー６、軸回り回転方向においてハンマー６と係合するアンビル７を納めたインパクト式の工具であり、ばね８によってアンビル７側に付勢されてアンビル７と係合しているハンマー６は、駆動用モータ５による回転出力を上記係合部を介してアンビル７に伝達する。そして駆動負荷が増大した時には、ハンマー６がばね８に抗して後退し、アンビル７との係合が外れた時点でハンマー６は回転しつつばね８付勢によって前進してアンビル７に回転打撃衝撃を与える。
【００１１】
このようなインパクト式の手持ち式電動工具において、本体ハウジング１から延出したグリップ部１０の先端には、パック式の電源部が着脱自在に装着されて、駆動モータ５は該電源部から供給される電源で作動するのであるが、この電源部として、図１では、商用電源に接続されるコードが導出されているとともに商用電源を直流電源に変換する手段を内蔵したコード付き電源部１６を装着しているが、このコード付き電源部１６に代えて、図７に示すように、複数の電池セルを内蔵するコードレス電源部１５を装着することもできるようになっている。
【００１２】
そして、この電動工具ではその駆動モータ５に高電圧直流を流すための巻線１０ａと低電圧直流を流すための巻線１０ｂとの２種の巻線と各巻線に対応する整流部を備えたものを用いているとともに、コード付き電源部１６から巻線１０ａに至る回路と、コードレス電源部１５から巻線１０ｂに至る回路とを独立させたものを用いている。
【００１３】
なお、上記両回路の切換は、電源部１５，１６の装着によって自動的になされるようにしてある。コード付き電源部１６を装着した時にはコネクター２３を通じて巻線１０ａに電源が供給され、コードレス電源部１５を装着した時にはコネクター２２を通じて巻線１０ｂに電源が供給されるものである。尚、スイッチ２０にはトリガーレバー２１の操作によって低電圧用の接点部２０ａ，２０ｃと高電圧用の接点部２０ｂ，２０ｄとが共に切り換えられるものを用いているとともに、回転方向切換の接点部５０，５１も上記両回路分だけ備えたものを用いており、モータ制御回路Ｃ１，Ｃ２も上記各回路に応じて設けたものとなっている。図６中の２０ｆは駆動モータ５のオフ時に駆動モータ５の両極間を短絡させるための接点部、２５はコード付き電源部１６における交流を直流に変換するための整流ダイオードである。
【００１４】
そして、上記両回路のうち、商用の交流電源を直流に変換して駆動モータ５の高電圧用巻線１０ａに供給する回路には、モータ５の近傍において巻線１０ａに直列にヒューズ３を接続してある。電動工具の定格電流（インパクト時の電流）が５．０Ａであって駆動モータ５がロックした時の停動電流が１２Ａである場合、上記ヒューズ３には停動電流（１２Ａ）以上の電流が流れた時に溶断するものを用いる。
【００１５】
コード付き電源部１６を装着して高電圧直流で駆動モータ５を駆動している際に異物の混入などが原因でモータロックが生じても、この時に流れる停動電流でヒューズ３が溶断して駆動モータ５への電流供給を遮断してしまうために、発煙発火などの異常事態を発生させてしまうことがないものである。
【００１６】
上記ヒューズ３はここでは本体ハウジング１の後端部に配した放熱板４に装着してある。すなわち、本体ハウジング１の後端部には、駆動モータ５の制御駆動用のスイッチング素子４０が発生する熱を逃すために放熱板４を配置しているのであるが、この放熱板４の一部にヒューズ３の配設のための溝４１を設けて、ここに熱収縮チューブ３０を被せたヒューズ３を納めてある。
【００１７】
前記駆動モータ５が内蔵する自己冷却用のファン５４は、図３に示すように、本体ハウジング１の後端側から取り込んだ空気を駆動モータ５内部を通じて前方へと送り出すのであるが、この冷却風の流路中で且つ吸い込み口付近に上記ヒューズ３を配置していることから、ヒューズ３は駆動モータ５の発熱の影響を受けることがなく、また放熱板４に取り付けていることから、ヒューズ３の自己発熱は放熱板４を介して効率良く放熱される。
【００１８】
放熱板４へのヒューズ３の取付に際しては、図４及び図５に示すように、導出されているリード線３３を屈曲させた状態としておく。ヒューズ３が溶断した時にはヒューズ３を交換しなくはならないわけであるが、この時、溶断してしまったヒューズ３は図５中のたとえばイ部分で切断し、ここに新しいヒューズ３のリード線を半田付けによって接続するものとしてある。上記屈曲部の存在は、新しいヒューズ３の再接続を容易とする。
【００１９】
【発明の効果】
以上のように本発明においては、低駆動負荷時に回転出力を出力部に伝達するとともに駆動負荷の増大時に間欠の回転打撃出力を出力部に加えるインパクト動作に切り替わるインパクト式の手持ち式電動工具において、駆動モータに直列に駆動モータの停動電流付近で溶断するヒューズを接続していることから、本来的にはロックが生じることがない駆動モータが異物混入等が原因でロックしてしまっても、この時にはヒューズが溶断して駆動モータへの電流供給を遮断してしまうことから、発煙発火といった異常事態を招くことがないものである。
【００２０】
特に、電池セルを内蔵するコードレス型電源部と、交流電源からの電流を直流に変換する手段を備えたコード付き電源部との２種の電源部が選択的に取付自在となっているとともに、駆動モータが２種の電源部の出力電圧に応じた２種の巻線及び整流部を備えた多重巻線タイプであり、ヒューズは駆動モータの２種の巻線のうちのコード付き電源部に対応する巻線側の回路に接続しているために、商用電源から電源供給を受けるために駆動モータのロック時にその影響がより大きく出てしまうことに対応することができる。
【００２１】
また、モータ冷却用ファンを備えるものでは、ヒューズは工具本体のハウジング内の上記ファンによる冷却風流路中に配しておくのが他部品からの熱の影響をヒューズが受けてしまうことを避けることができ、特に本体のハウジングに設けられた冷却風吸い込み口近傍に配しておくことで、他部品からの熱の影響をより確実に避けることができる。
【００２２】
ヒューズは工具本体内に設けられた発熱性部材の放熱のための放熱部材に取り付けておくと、ヒューズの自己発熱の影響を抑えることができ、さらには導出されているリード線を屈曲させた状態でヒューズを配設しておくと、ヒューズの溶断時のヒューズ交換の便が良くなる。
【図面の簡単な説明】
【図１】本発明の実施の形態の一例の破断側面図である。
【図２】図１中のＡ−Ａ線断面図である。
【図３】同上の冷却風流路を示す概略断面図である。
【図４】  (a)は同上のヒューズと放熱板の斜視図、(b)はヒューズの断面図である。
【図５】  (a)は同上のヒューズとリード線の側面図、(b)はヒューズ交換後のヒューズとリード線の側面図である。
【図６】同上のブロック回路図である。
【図７】同上の他の電源部を装着した状態を示す破断側面図である。
【符号の説明】
１  本体ハウジング
３  ヒューズ
５  駆動モータ
【図１】
0003791296.tif 000002
【図２】
0003791296.tif 000003
【図３】
0003791296.tif 000004
【図４】
0003791296.tif 000005
【図５】
0003791296.tif 000006
【図６】
0003791296.tif 000007
【図７】
0003791296.tif 000008